(57)【特許請求の範囲】
【請求項１】
写真プリントを作成するための画像データを含むオーダーデータをオーダー単位で保存するオーダーデータ保存部と、オーダーデータを登録するに際し、各オーダーの仕上がり予想時間の設定を行う処理時間設定部とを備える写真プリントシステムであって、
前記処理時間設定部は、待ち時間と処理時間とを加算して仕上がり予想時間を演算し、当該処理時間はプリント処理時間と優先度ごとに設定可能な余裕時間を加算した値であり、当該プリント処理時間は予めプリントサイズ毎に設定した所定枚数のプリントに要する時間に基づき、プリント枚数およびプリントサイズによって演算され、当該待ち時間は、先にプリント処理されるオーダーの処理時間の合計であり、
消耗品の消耗量を算出する消耗量算出部と、
前記消耗量に基づいて消耗時期を判定する消耗時期判定部とをさらに備え、
前記処理時間設定部は、前記消耗時期判定部で判定された消耗時期にプリント処理が実行されるオーダーの仕上がり予想時間を設定する場合に、前記消耗量算出部で算出された当該消耗品の処置時間を加算して当該オーダーの仕上がり予想時間を設定することを特徴とするプリント処理システム。
【発明の詳細な説明】
【技術分野】
【０００１】
本発明は、写真プリントを作成するための画像データを含むオーダーデータをオーダー単位で保存するオーダーデータ保存部を有し、消耗品の交換等の処置を考慮した仕上がり予想時間を設定可能とするプリント処理システムに関するものである。
【背景技術】
【０００２】
写真プリントを作成するプリント処理システムにおいては、適宜の画像形成媒体から画像データを取得し、オーダー単位でオーダーデータ保存部に一旦保存される。ここで、１オーダーとは、ネガフィルム１本に含まれる画像データ、記録メディア１個に格納される画像データのことを指す。プリント処理の注文が多い場合は、オーダーデータ保存部に多数のオーダーが登録され、設定されたプリント順序に従い登録されたオーダーについてプリント処理が行なわれていく。
【０００３】
ここで設定されたプリント順序とは、通常はオーダーを受け付けた順序であり、早く受け付けたオーダーほど早くプリント処理が行われるように設定される。また、プリント処理の仕上がり納期に関して、顧客から指定されることもあり、登録されるオーダーの順番はオーダーの受付順序だけではなく、仕上がりの優先度も考慮して設定する必要がある。
【０００４】
そして、登録されるオーダーの仕上がり予想時間が設定される。この仕上がり予想時間は、待ち時間に処理時間を加算して得られる。「待ち時間」とは、注目しているオーダーよりもプリント順序が早い全てのオーダーの処理時間の合計のことである。「処理時間」は、プリント処理時間に余裕時間を加算して得られる。「プリント処理時間」は、プリント１枚当たりの処理時間にプリント枚数を乗算して得られる。「余裕時間」は、優先度（特急仕上げ、通常仕上げ）の設定で異なり、また、割り込みオーダーに備えた予備時間、トラブルに備えた予備時間などが含まれる。
【０００５】
以上のようにプリント処理システムにおいては、登録されたオーダー順序に従って、オーダー単位にプリント処理が実行され、仕上がり予想時間に、プリント処理が終了する。
【発明の開示】
【発明が解決しようとする課題】
【０００６】
ところで、写真感光材料であるペーパーは、ロール状に収容されたペーパーマガジンとして写真処理装置にセットされている。プリント処理されるに従いペーパーは消費されていくものである。通常、ペーパーの送り出された長さは、ペーパー送り長さ検出手段（例えば、マガジンの回転数検出するロータリーエンコーダーや、センサー等）によって検出され、ペーパー交換時期が判定され、オペレータに通知（音出力、画面に表示）されている。
【０００７】
また、露光処理されたペーパーは、現像処理されるが、この現像処理液は、現像処理の回数が増加するにつれて減少していくため、適宜補充する必要がある。さらに、現像液は、現像処理能力が限定されているため、所定期間現像処理に用いられると新しい現像液と交換され、交換された古い現像液は廃液として回収される必要がある。
【０００８】
すなわち、連続したプリント処理中においては、ペーパー交換や、現像液補充、廃液回収等の消耗品に対する処理が必要になり、プリント処理を予期しない要因で停止しなければならない場合がある。このことは、オーダーの登録時に設定した仕上がり予想時間を越えて、プリント処理が終了することとなり、オーダーの納期遅れの原因の一つとなっており、改善が要望されていた。
【０００９】
本発明は上記実情に鑑みてなされたものであり、その課題は、消耗品に対する処置時間を考慮した仕上がり予想時間の設定を可能とし、オーダーの納期遅れを改善するプリント処理システムを提供することである。
【課題を解決するための手段】
【００１０】
上記課題を解決するため本発明に係るプリント処理システムは、  写真プリントを作成するための画像データを含むオーダーデータをオーダー単位で保存するオーダーデータ保存部と、オーダーデータを登録するに際し、各オーダーの仕上がり予想時間の設定を行う処理時間設定部とを備える写真プリントシステムであって、
前記処理時間設定部は、待ち時間と処理時間とを加算して仕上がり予想時間を演算し、当該処理時間はプリント処理時間と優先度ごとに設定可能な余裕時間を加算した値であり、当該プリント処理時間は予めプリントサイズ毎に設定した所定枚数の設定したプリントに要する時間に基づき、プリント枚数およびプリントサイズによって演算され、当該待ち時間は、先にプリント処理されるオーダーの処理時間の合計であり、
消耗品の消耗量を算出する消耗量算出部と、
前記消耗量に基づいて消耗時期を判定する消耗時期判定部とをさらに備え、
前記処理時間設定部は、前記消耗時期判定部で判定された消耗時期にプリント処理が実行されるオーダーの仕上がり予想時間を設定する場合に、前記消耗量算出部で算出された当該消耗品の処置時間を加算して当該オーダーの仕上がり予想時間を設定することを特徴とする。
【００１１】
かかるプリント処理システムの作用・効果を説明する。画像データを含むオーダーデータは、オーダーデータ保存部にオーダー単位で保存される。新規オーダーをオーダーデータ保存部に登録する場合には、プリント順序設定部によりプリント順序が設定され、優先度やオーダー受付順序に基づいて順番が設定される。例えば、早く受け付けたものほど早くプリント処理され、高優先度オーダーは低優先度オーダーに優先して順序が設定される。「優先度」とは、仕上がり納期に関するものであり「特急仕上げ」、「通常仕上げ」などである。すなわち、プリント処理の対象となる画像データは、オーダーデータ保存部に保存された後、プリント処理が行われることになるため、オーダーデータ保存部にデータが保存できないとプリント処理を行うことができない仕組みとなっている。
【００１２】
また、処理時間設定部を備えており、各オーダーについて仕上がり予想時間と顧客引渡し時間の設定を行なうことができる。「仕上がり予想時間」とは、写真プリント作成が完了する時間のことであり、「顧客引渡し時間」とは顧客に仕上がりの写真プリントを渡すことができる時間のことである。従って、納期を遵守するためには、仕上がり予想時間は顧客引渡し時間内に収まるようにしなければならない。
【００１３】
そして、消耗量算出部は、所定の消耗品の消耗量を算出する。消耗時期判定部は、所定の消耗品の消耗時期を、消耗量に基づいて算出する。所定の消耗品は、例えば、写真感光材料のプリントペーパー、現像液、裏印字手段であるインクジュットプリンタ等のインク、装置の消耗部品等である。
【００１４】
そして、処理時間設定部は、判定された消耗時期にプリント処理が実行されるオーダーの仕上がり予想時間を設定する場合に、当該消耗品の処置時間を加算して設定する。処置時間は、予め格納手段に格納されているものであり、消耗品の種類によって、処置時間は異なる値である。
【００１５】
この構成によれば、消耗品に対する処置時間を考慮した仕上がり予想時間の設定を可能とし、オーダーの納期遅れをなくせるものとなる。また、消耗品の処置に関与しないオーダーに対しては、処置時間を加算せずに仕上がり予想時間を設定することができるので、仕上がり予想時間を精度良く設定できる。すなわち、全てのオーダーの仕上がり予想時間に一律に、消耗品の処置時間を加算せず、消耗品の処置タイミングのオーダーのみに処置時間を加算して仕上がり予想時間を算出・設定できるので、プリント処理の稼動効率を向上できる。
【発明を実施するための最良の形態】
【００１６】
本発明に係る写真処理システムの好適な実施形態を図面を用いて説明する。図１は、システム全体の構成を示す模式図である。
【００１７】
＜システムの全体構成＞
図１において、写真処理装置１００は、取得されたデジタルの画像データに基づいて、写真プリントを作成する機能を有する。画像データは、写真処理装置１００に設けられるフィルムスキャナーから取得される現像済みネガフィルムのコマ画像の画像データや、ネットワーク経由で送信されてくる画像データなどがあげられる。
【００１８】
受付端末２０は、店頭に設置され、デジタルカメラの記録メディアやその他の記録メディアに格納された画像データを受け付けることができる。記録メディアの種類としては、コンパクトフラッシュ（登録商標）、スマートメディア（登録商標）、メモリスティック（登録商標）、ＣＤ−Ｒ、ＤＶＤ−Ｒなどが例としてあげられる。受付端末２０は、主として顧客により操作されるものであり、顧客が自分で持参した記録メディアを挿入し、プリント処理の対象となる画像データの選択、プリント枚数、プリントサイズの設定などを行うことができる。もちろん、店員が受付端末２０を操作するようにしてもよい。
【００１９】
記録装置４０は、写真処理装置１００が取得した画像データをＣＤ−Ｒ、ＤＶＤ−Ｒ等の記録メディアに書き込む機能を有する。ネット受付端末５０（パソコンにより構成）は、インターネット経由でのプリント注文に係る画像データを受け付ける機能を有する。写真処理装置１００、受付端末２０、記録装置４０、ネット受付端末５０は、ネットワーク（例えば、ＬＡＮ）により接続されている。また、写真処理装置１００、受付端末２０、記録装置４０、ネット受付端末５０の設置台数は１台に限定されるものではなく、必要に応じて複数台を設置することができる。
【００２０】
インターネット上に設置されるサーバー６０は、オンラインでのプリント注文を受け付ける機能を提供する。プリント注文を行なう場合は、インターネットに接続されるパソコン７０から、プリント処理に係る画像データをアップロードすると、サーバー６０に画像データが保存される。ネット受付端末５０から、当該画像データをサーバー６０からダウンロードすることで、プリント処理を行なうことができる。オンラインでプリント処理を受け付けるシステムについては、公知のシステムを利用することができる。
【００２１】
＜写真処理システムの機能ブロック構成＞
図２は、写真処理システムの中心をなす写真処理装置１００の機能を示すブロック図である。フィルムスキャナー１（画像入力手段の一つに相当する）は、現像済みネガフィルム（写真フィルム）に形成されているコマ画像をスキャニングしてデジタルの画像データを取得する。画像取得部２（画像入力手段の一つに相当する）は、主としてネットワーク経由で送信されてくる画像データを取得する。ネットワークを介して通信を行なうために通信制御部３が設けられる。画像取得部２が取得する画像データは、デジタルカメラの記録メディアに格納されていた画像データや、インターネットサーバー６０に保存されていた画像データである。なお、写真処理装置１００自身に記録メディアを装着することができるようにし、直接記録メディアから画像データを取得できるように構成してもよい。
【００２２】
＜画像判定部の構成＞
画像判定部４は、取得した画像データに対する判定をオペレータが行なうための機能を提供し、かかる機能は主としてソフトウェアにより提供される。これは、画像データに基づいて写真プリントを作成する前に、適切な画質の写真プリントが作成されるか否かを判定するものであり、かかる作業をプレジャッジと称することとする。画像判定部４には、補正データ設定部４ａ、プリントデータ設定部４ｂ、サムネイル画像作成部４ｃが主たる機能として設けられており、補正データ設定部４ａは、上記のような色や濃度を補正するための補正データを入力する機能を提供するものであり、かかる補正データの入力は必要に応じて設定される。その他の補正データの設定としては、赤目補正、逆光補正などの特殊補正の設定が例としてあげられる。また、プレジャッジ画面から、仕上がり希望納期を入力可能に構成されている。
【００２３】
プリント枚数の設定としては、フィルムスキャナー１から取得した画像データに関してはデフォルトで１が設定されているが、オペレータの入力操作により変更することができる。また、ネットワーク経由で取得した画像データについては、顧客により注文にかかるプリント枚数が既に設定されているため、オペレータにより設定変更できないようにすることが好ましい。このプリント枚数の設定データは、プリントデータに含まれるものであり、プリントデータ設定部４ｂの機能により提供される。プリントデータには、プリント枚数の他にプリントサイズ、ペーパー面質（光沢面や絹目など）、縁有りプリントか否かについても含まれるものとする。
【００２４】
プレジャッジ画面に表示されるコマ画像は、サムネイル画像であり、取得した画像データを縮小処理することで得られるものである。画像取得部２が取得した画像データの場合は、取得したオリジナルの画像データに基づいてサムネイル画像を作成することができる。フィルムスキャナー１からネガフィルムの画像データを取得する場合は、ネガフィルムをプレスキャンした画像データに基づいて、サムネイル画像を作成することができる。サムネイル画像の作成は、サムネイル画像作成部４ｃの機能により行われる。
【００２５】
＜オーダー制御部の構成＞
オーダー制御部５は、プリント処理すべき画像データをオーダー単位に管理する機能を提供する。ここで１オーダーとは、フィルム１本分あるいは記録メディア１個分についてのプリント注文に係る画像データ群を指すものであるが、これに限定されるものではなく、１オーダーの概念はオペレータにより適宜設定することができる。
【００２６】
オーダー登録部５ａは、画像判定部４によりプレジャッジの終了したオーダーデータを記憶装置６に登録・保存する機能を有する。記憶装置６は概念的に、スプーラ６ａ（オーダーデータ保存部に相当）と呼ばれる部分と、その他の記憶部６ｂとで構成される。プリント処理すべきオーダーデータは、すべてスプーラ６ａに保存される。従って、スプーラ６ａにオーダーデータを保存することでオーダーの管理を行なうことができ、プリント処理の順番や割り込みなどの制御を行なうことができる。スプーラ６ａと、記憶部６ｂは、いずれもハードディスクのような大容量記憶装置により構成することができるが、スプーラ６ａと記憶部６ｂは、ハードウェア的に別々のハードディスクにより構成してもよいし、１つのハードディスクの記憶領域を分割して、スプーラ６ａとして機能する領域と、それ以外の領域を形成してもよい。
【００２７】
なお、オーダーデータとは１オーダー分のデータのことを指すが、１オーダーに含まれる画像データ群と、プレジャッジにより設定された補正データやプリント枚数などのプリントデータ、オーダーを特定するデータ（オーダー識別ＩＤ、顧客の氏名、住所、会員ＩＤなどのデータ）により構成される。
【００２８】
プリント処理制御部５ｂは、プリント処理の対象となるオーダーのオーダーデータをプリント処理するように指令を与える。図３は、オーダー管理画面の構成例を示す図であり、処理待ちオーダーのリストと、完了済みオーダーのリストが表示されている。処理待ちオーダーのリストには、基本的にはプリント処理が行なわれる順番にオーダーのリストが表示されている。状態表示欄には、オーダーの処理状態が示されており、１番上のオーダーがプリント処理中であること、その他のオーダーについてはプリント処理待ちの状態であることが示されている。プリント処理が完了すると、完了済みオーダーの表示欄へと移行し、状態表示もプリント処理完了に変わる。
【００２９】
プリント順序設定部５ｅは、オーダーデータをスプーラ６ａに登録するに際して、オーダーのプリント順序を優先度や受付順序に基づいて設定する。基本的には、受付順序が早いほど先にプリント処理がされる。図３に示す管理画面において、処理待ちオーダーのリストは、プリント処理がされる順番にオーダーがリスト表示されている。すなわち、一番上のオーダーが現在プリント処理中のオーダーであり、以下順番に繰り上がってプリント処理が行なわれていく。
【００３０】
処理時間設定部５ｇは、各オーダーの仕上がり予想時間と顧客引渡し時間を設定する機能を有する。「仕上がり予想時間」とは、写真プリントの仕上がり予定時間のことであり、「顧客引渡し時間」については、商品としての写真プリントを顧客に引き渡すことが可能な時間である。これらの処理時間の演算方法については後述する。
【００３１】
消耗量算出部５ｈは、各種消耗品の消耗量を算出する。プリントペーパーの場合、例えば、オーダーデータに含まれるプリントデータのプリント枚数とプリントサイズからペーパー使用量を算出することで、各オーダーのペーパーの消耗量（使用予定量）を得ることができる。
【００３２】
消耗時期判定部５ｊは、算出された消耗品の消耗量に基づいて、各種消耗品の消耗時期を判定する。判定方法の詳細は後述する。
【００３３】
オーダー制御部５、消耗量算出部５ｈ、消耗時期判定部５ｊは、通常、ソフトウェアで構成され、ＣＰＵ、メモリ等のハードウェア資源と協働して動作するものであるが、専用回路、ファームウエア等を組み合わせて構成してもよい。当該ソフトウエアプログラムは、ＲＯＭ等のメモリに予め格納されている。
【００３４】
図２に戻り、モニター７は、プレジャッジを行なうための画面やオーダー管理画面等を表示させるものであり、プリント処理等を行うために必要な画面を提供する。入力操作部８は、キーボードやマウス等により構成され、プリント処理に必要なデータ入力や設定、各種指令を行う。
【００３５】
画像処理基板９は、スプーラ６ａから画像データと補正データを受け取り、補正データに基づいて画像データに対する画像処理を行い、写真プリントを作成するために用いられるプリント用画像データを生成する。画像処理基板９は、入力メモリ、処理回路部、展開メモリにより構成され、処理回路部において指定された画像処理が行なわれる。具体的には、補正データに基づく色・濃度の補正、設定されたプリントサイズに従ったデータの拡縮処理などである。
【００３６】
次に、図２においてプリント処理部の構成を簡単に説明する。ペーパーマガジン１０には、写真感光材料であるペーパーがロール状に収容されている。ペーパーマガジン１０は、２台を設置することができ、例えば、ペーパー幅の異なるペーパーを予めセットしておくことができる。ペーパーカッター１１は、ペーパーマガジン１０から引き出された長尺状のペーパーを設定されたプリントサイズになるように切断する。
【００３７】
露光エンジン１２ａは、画像処理基板９の展開メモリから送信されてくるプリント用画像データを受け取り、このプリント用画像データに基づいて、ペーパーの乳剤面に画像を焼付露光する。露光エンジン１２としては、特定の方式のものに限定されるものではなく、例えば、レーザーエンジン、ＣＲＴエンジン、ＰＬＺＴエンジンなどを用いることができる。
【００３８】
裏印字手段１２ｂは、ペーパーの裏面に、オーダー識別ＩＤ、コマナンバー、プリント処理済枚数、プリント要求枚数、補正テータ等をプリントする機能を有する。裏印字手段１２ｂは、例えば、ドットインパクトプリンタ、熱転写式プリンタ、インクジェットプリンタ等で実現される。
【００３９】
現像処理部１３は、画像が焼付露光されたペーパーの現像処理を行い、乾燥処理部１４は、現像処理されたペーパーの乾燥処理を行なう。ペーパー排出部１５から仕上がりの写真プリントが装置本体外部に排出され、所定の集積装置によりオーダー単位で集積される。
【００４０】
ペーパーセンサー１６は、ペーパー排出部１５から排出されるペーパーを検出し、あるオーダーの写真プリントが全て排出されたか否かを検出する。センサー制御部１７は、ペーパーセンサー１６の駆動制御を行なうと共に、ペーパーセンサー１６からの信号を受信して解析する。オーダー制御部５のオーダーデータ削除部５ｃは、あるオーダーについての写真プリントが全て排出されたとセンサー制御部１７により検出された場合、そのオーダーについてのオーダーデータをスプーラ６ａから削除するようにする。
【００４１】
＜オーダー管理の設定画面＞
次に、オーダー制御部５によりオーダーの管理を行う場合の設定画面の一例を図４に示す。ネットオーダーモードの設定欄２５は、有効もしくは無効の設定を行うことができ、有効を選択することで受付端末２０からのオーダーを受け付けることができる。
【００４２】
データ保存設定欄２１では、オーダーデータを保存するスプーラ６ａに関する設定を行うことができる。ドライブ設定欄２１はスプーラ６ａを配置するドライブを指定することができる。一度指定したドライブを変更することもできる。スプーラ容量設定欄２１ｂには、スプーラ６ａとして使用する領域の要領を設定することができる。プリント処理をスムーズに行なうのに必要な容量（例えば、３ＧＢ）を設定することができる。残容量が少なくなってきた場合、この設定値を増やすことで対処することもできる。スプーラ使用容量表示欄２１ｃには、スプーラ６ａに保存されている全オーダーデータのデータ量を表示する。
【００４３】
リオーダー用保存容量設定欄２１ｄは、リオーダー用（焼き増し用など）に設定する保存容量を設定することができる。この保存容量は、スプーラ６ａとは別の記憶部６ｂに保存領域を確保することができる。これは、後日焼き増しプリントの依頼を受けた場合、リオーダー用に確保された領域からオーダーデータを読み出すことで、直ちにプリント処理を開始できるという利点がある。従って、フィルムスキャナー１による画像データの読み取り動作などが不要になり、効率よく作業を行うことができる。リオーダー用に確保されたオーダーデータは、所定期間保存され、所定期間が経過した後に削除される。完了済みオーダー保存容量表示欄２１ｅには、リオーダー用に保存されている全オーダーデータのデータ量が表示される。
【００４４】
ソート対象データ設定欄２２は、図４に示したオーダーリストを表示するソート順の基準について設定を行う欄である。通常は図４に例示するように「受付日時」が選択される。受付日時を選択した場合、オーダーリストには受け付け順に各オーダーが表示され、基本的に受け付け順にプリント処理が行われていく。基準として「マガジン」を選択することもでき、マガジンに対して付与されているマガジンコード順にソートされる。ただし、装置本体に装着可能なマガジンは２種類であるため、現在装着されているマガジンが上位にソートされる。
【００４５】
仕上がり予定時間設定エリア２３は、仕上がり予想時間を演算するために必要なデータを設定入力する。このエリア２３は、オーダーの仕上がり時間を演算するために、写真プリント出力の予定時間等を設定するものであり、各写真店の事情に合わせて設定することができる。演算された仕上がり予想時間は、図４に示したリストに表示される。予想時間は、仕上がりの時刻で表示しても良いし、オーダーを受け付けてからオーダーが仕上がるまでに要する処理時間を表示してもよい。オーダーの受付時点とは、例えば、記録メディアを受付端末２０に装着して受付処理を完了した時点、プレジャッジ作業を開始した時点、スプーラ６ａに新規オーダーを登録した時点など適宜定義することができる。オーダーの仕上がり時点とは、１オーダー分の写真プリントが全て装置外部に排出された時点、集積装置に集積された時点など適宜定義することができる。このような定義は、写真店ごとに決めることができる。
【００４６】
エリア２３ａには、標準プリントサイズ（図例はＬ判）で２４コマ分プリントするのに要する時間を設定する。エリア２３ｂには、標準プリントサイズよりも大きな大サイズ（図例では６つ切）で１２コマ分プリントするのに要する時間を設定する。エリア２３ｃには、特大サイズ（長尺サイズ）で８コマ分プリントするのに要する時間を設定する。エリア２３ｄには、記録装置４０を利用してＣＤ−Ｒ１枚に画像データを書き込む時間を設定する。エリア２３ｅには、顧客に仕上がり写真プリントを渡すまでの時間を設定する。これは、オペレータが写真プリントをＤＰ袋に袋詰めする時間などを考慮して設定する。
【００４７】
余裕時間設定エリア２４には、余裕時間を優先度ごとに設定するものであり、優先度には「特急仕上げ」「通常仕上げ」「ゆっくり仕上げ」の３段階があるが、更に段階を増やしてもよい。このような優先度は顧客からの要望に基づいてオーダーごとに設定されるものである。余裕時間とは、割り込みオーダーに備えた予備時間、トラブルに備えた予備時間などが含まれる。そして、各エリア２４ａ〜２４ｃには、各優先度が指定されたオーダーに対する余裕時間を設定することができ、優先度が低くなるほど余裕時間を大きく設定する。
【００４８】
処置時間設定エリア２６には、各種消耗品の処置時間を設定できるものであり、例えば、ペーパーエンド時（ペーパー終了時）のペーパーマガジンの交換時間、又はプリントチャンネル切換時間、現像液の補充時間、廃液回収の時間、インクジェットプリンタのインクの交換時間、その他の消耗部品の交換時間等を設定できる。
【００４９】
ここで、具体的な仕上がり予想時間の演算方法の一例を説明する。仕上がり予想時間については、基本的に、
仕上がり予想時間＝待ち時間＋処理時間
により演算する。ここで、（処理時間＝プリント処理時間＋余裕時間）であり、余裕時間については、優先度の違いに応じて余裕時間設定エリア２４において設定した時間である。プリント処理時間については、仕上がり予定時間設定エリア２３にて設定したデータに基づいて演算することができる。「待ち時間」とは、注目しているオーダーよりもプリント順序が早い全てのオーダーの処理時間の合計のことである。以上のように、仕上がり予想時間を各オーダーにつき求めることができる。
【００５０】
しかし、消耗時期判定部５ｊで判定された消耗時期にプリント処理が実行されるオーダーの仕上がり予想時間を設定する場合には、当該消耗品の処置時間を処理時間に加算するように構成され、仕上がり予想時間については、
仕上がり予想時間＝待ち時間＋処理時間
処理時間＝プリント処理時間＋余裕時間＋処置時間
により演算する。
【００５１】
処置時間は、各種消耗品によって異なる時間であり、処置時間設定エリア２６において設定した時間である。
【００５２】
なお、仕上がり予想時間と比較される顧客引渡し時間については、各オーダーごとに入力されるものであり、例えば、新規オーダーを受け付けるときや、スプーラ６ａに登録するときに設定することができる。
【００５３】
＜仕上がり予想時間の設定手順＞
次に、新規のオーダーの仕上がり予想時間の設定手順を図５のフローチャートにより説明する。
【００５４】
新規オーダーを受付端末２０、記録装置４０、ネット受付端末５０から受け付ける。或いは、現像済みネガフォルムから画像データを読み取ることで新規オーダーを受け付ける（Ｓ１）。受付端末２０、記録装置４０、ネット受付端末５０から新規オーダーを受け付けた場合、通常、プリントデータ（例えば、コマ毎にプリントサイズ、プリント枚数等のデータ）が設定されており、画像データと共にオーダーデータとして、記憶装置６或いは不図示のメモリに格納される。このオーダーデータに対してオペレータはプレジャッジ処理が可能であり、プレジャッジで補正データやプリントデータが設定されると、新規オーダーとしてスプーラ６ａに登録・保存される。なお、プレジャッジ処理をせずに、直接、スプーラ６ａに新規オーダーとして登録・保存されても良い。また、現像済みネガフォルムから画像データを読み取って、新規オーダーを受け付ける場合には、オペレータがプレジャッジ処理することで、補正データ、プリントデータを設定し、プレジャッジ後、画像データ、補正データ及びプリントデータをオーダーデータとして構成して、スプーラ６ａに登録・保存する。
【００５５】
次いで、処理時間設定部５ｇは、プリントサイズやプリント枚数のデータを取得し（Ｓ２）、このデータに基づいて、新規オーダーの処理時間（プリント処理時間＋余裕時間）を算出する（Ｓ３）。
【００５６】
次いで、消耗量算出部５ｈは、新規オーダーの各種消耗品の消耗量を算出する（Ｓ４）。例えば、プリントペーパーの消耗量は、プリントサイズ（送り長さ）とプリント枚数との積で得られる。
【００５７】
次いで、消耗時期判定部５ｊは、算出された消耗品の消耗量に基づいて、各種消耗品の消耗時期を判定する。プリントペーパーの消耗時期は、新規オーダーのペーパー消耗量（使用量）が、使用可能ペーパー量より大きい場合に、ペーパーの消耗時期であると判定する（Ｓ５）。「使用可能ペーパー量」は、ペーパーマガジンに収納されている未使用のプリントペーパーから登録済みのオーダーが使用する予定のプリントペーパー分を差し引いたものである。この判定結果により、処理時間にペーパーマガジン交換の処置時間が加算され、仕上がり予想時間及び顧客引渡し時間が算出・設定される（Ｓ６）。なお、ペーパーマガジンに収納されている未使用のプリントペーパーの長さは、上述のように、プリントサイズとプリント枚数から算出することもできるが、その他の方法として、例えば、ペーパーマガジンから送り出されるペーパーの長さを検出し、或いはセンサー１６で検出される写真プリントのプリントサイズ及びプリント累積枚数からペーパーの使用された長さを算出し、初期値のペーパー長さからその算出された長さを減算して得ることもできる。
【００５８】
また、現像液の消耗量は、写真プリント一枚あたりの消耗量（経験値、実測値を採用し、例えば、１ミリリットル）とプリント枚数との積で得ることができる（Ｓ７）。得られた現像液の消耗量を加算した累積の現像液の消耗量が所定値（例えば、２００ミリリットル）以上になった場合に、補充時期であると判定することができる。累積の現像液の消耗量は、補充液が補充されると初期化される。この判定結果により、処理時間に現像液補充のための処置時間が加算され、仕上がり予想時間及び顧客引渡し時間が算出・設定される（Ｓ８）。
【００５９】
また、プリント処理中にリアルタイムに現像液の量をセンサーで検出し、検出結果の量が所定値以上になったら補充時期であると判定するように構成してもよい。また、現像液の補充時期を新規オーダーのペーパー消耗量から判定することができる。例えば、新規オーダーのペーパー消耗量を加算した累積のペーパー消耗量が所定値以上になった場合に、補充時期であると判定される。累積のペーパー消耗量は、補充液が補充されると初期化される。所定値は、ペーパー消耗量に比例して現像液が減少するという観点から適宜設定されるものであり、例えば、２７１万（プリントサイズ「８９×１２７」×２４枚×１０オーダー分に相当する）等でもよい。
【００６０】
また、現像液の廃液回収時期をペーパー消耗量から判定することができる（Ｓ９）。例えば、新規オーダーのペーパー消耗量を加算した累積のペーパー消耗量が所定値以上になった場合に、廃液回収時期であると判定される。累積のペーパー消耗量は、廃液回収処置がなされると初期化されるが、補充液が補充された際にも初期化されるように構成されている場合には、各々別の変数に置き換えて記録されているものとする。所定値は、ペーパー消耗量に比例して現像液の処理能力が低下するという観点から適宜設定されるものであり、例えば、１３５５万（プリントサイズ「８９×１２７」×２４枚×５０オーダー分に相当する）等でもよい。この判定結果により、処理時間に廃液回収のための処置時間が加算され、仕上がり予想時間及び顧客引渡し時間が算出・設定される（Ｓ１０）。
【００６１】
また、その他の消耗品の消耗時期をペーパー消耗量から判定する。例えば、インクジェットプリンタ（裏印字手段１２ｂの一例）は、写真プリントの裏印字に用いられ、通常すべての写真プリントの裏面に、識別情報、補正データ等が印字される。よって、プリント枚数に略比例して、インクが消耗することが分かっている。そこで、インクの消耗量を、プリント枚数から算出することができる。例えば、新しくインクを補充又は交換した時からの累積プリント枚数が所定値（例えば、１０００枚）以上となる場合に、インク補充又は交換時期であると判定される（Ｓ１１）。この判定結果により、処理時間にインク補充又は交換のための処置時間が加算され、仕上がり予想時間及び顧客引渡し時間が算出・設定される（Ｓ１２）。
【００６２】
また、裏印字手段１２ｂのインクジェットプリンタのインクの消耗量は、写真プリント一枚あたりのインク使用量（経験値、実測値を採用）とプリント枚数との積で得られる。その他の消耗品の消耗量は、写真プリント一枚あたりの消耗量とプリント枚数の積で得られる。
【００６３】
また、装置の消耗部品の消耗は、経験的に、プリント処理累積回数（或いは累積プリント枚数）に略比例することが分かっている。そこで、消耗部品の消耗量を、プリント枚数から算出し、消耗時期（交換時期）を、その部品を組み込んでからの累積プリント枚数から判定することができる。例えば、その部品を組み込んでからの累積プリント枚数が所定値（例えば、１万等）以上となる場合に、消耗時期であると判定される（Ｓ１１）。消耗部品は、例えば、レーザー部品、センサー部品、搬送部品等が例示され、各々の部品ごとに消耗時期は異なるものである。
【図面の簡単な説明】
【００６４】
【図１】写真処理システムの構成を示す概念図
【図２】写真処理装置の機能を示すブロック図
【図３】オーダー管理画面の構成例を示す図
【図４】オーダー管理の設定画面の構成例を示す図
【図５】仕上がり予測時間の設定手順を示すフローチャート
【符号の説明】
【００６５】
４        画像判定部
５        オーダー制御部
５ａ      オーダー登録部
５ｂ      プリント処理制御部
５ｃ      オーダーデータ削除部
５ｅ      プリント順序設定部
５ｇ      処理時間設定部
５ｈ      消耗量算出部
５ｊ      消耗時期判定部
６        記憶装置
６ａ      スプーラ
６ｂ      記憶部
２０      受付端末
４０      記録装置
１００    写真処理装置
【図１】
0004655860.tif 000002
【図２】
0004655860.tif 000003
【図３】
0004655860.tif 000004
【図４】
0004655860.tif 000005
【図５】
0004655860.tif 000006